(57)【要約】【課題】透光パネル面に溜まる雨水による光量低下を防止し、且つ防水部材の劣化を防いだ外観のよい防雨型照明器具を提供する。【解決手段】器具本体１は、開口に角型のガラスパネル４が嵌め込まれた枠２をケース３の上面に被装し、ケース３内部にはランプソケット１０に嵌装された両口金型ＨＩＤランプ１１が配設され、パッキンによってガラスパネル４と枠２との隙間から器具本体１内部に水が入らないように防水され、パッキンはその全周に亘って上方を枠２に覆設されている。枠２は、パッキンの切り欠き部を介してガラスパネル４の上面に連続した底面２ａを有して両端を開口した溝部２ｂと、パッキンの切り欠き部の上方を空間を設けて覆う外郭２ｃとを形成され、器具本体１は、ガラスパネル４の上面の左端が右端に比べて上方になるように、傾斜して取り付けられており、ガラスパネル４の上面も同様に傾斜している。【選択図】　　　　図１
2004111284.tif 000002
【特許請求の範囲】
【請求項１】
器具本体の中に配置したランプ及び反射鏡と、器具本体上面の開口部に覆設されて、器具本体の外面よりも内側に位置する透光パネルと、透光パネルの周縁部において、器具本体と透光パネルとの隙間を塞ぐと共に透光パネルを固定する防水部材と、透光パネルを露出する開口を有して防水部材に上方から覆設するカバーとを備えて、取付面に直付される防雨型照明器具において、防水部材は、少なくとも一部に透光パネルの上面に連続した面を有し、
カバーは、透光パネルの上面に連続した防水部材の面に連続した底面を有して両端を開口した溝部を器具本体の外縁にまで形成すると共に、該溝部に連続する防水部材をその上方に空間を設けて覆う外郭を有し、
透光パネルの上面に溜まった水が溝部に沿って器具本体外部に排出されるように透光パネルの上面は傾斜していることを特徴とする防雨型照明器具。
【請求項２】
前記カバーの溝部は、透光パネルを露出する開口の周縁部において、透光パネルの傾斜面の傾斜方向に略垂直な辺部の両側端に形成されたことを特徴とする請求項１記載の防雨型照明器具。
【請求項３】
前記透光パネルは、その断面に勾配を設けた形状を有し、前記カバーの溝部は、透光パネルを露出する開口の周縁部において、透光パネルの傾斜面の下方に位置する箇所に形成されたことを特徴とする請求項１記載の防雨型照明器具。
【発明の詳細な説明】
【０００１】
【発明の属する技術分野】
本発明は、防雨型照明器具に関するものである。
【０００２】
【従来の技術】
建築照明における照明計画の中では、壁面や天井面を均斉度よく照射することが要求される。近年、特に照射面の均斉度は、よりシビアなものが市場から求められており、壁面取付用の照明器具等のように照射面に接近して設けられ、取り付け面に対して垂直方向の面に設けた透光開口部から照射面を照射するものにおいては、均斉度が高い照明器具が要求される。
【０００３】
従来の直付型照明器具においては、ランプ及び反射鏡を内部に配置した器具本体の照射方向側の面に、透光パネルを器具本体の最外面より内側に配置して、照射方向自在型とした防雨型照明器具があった（例えば、特許文献１参照。）。
【０００４】
図２１〜２３は従来の照明器具を示し、開口に角型のガラスパネル１０４が嵌め込まれた枠１０２をケース１０３の上面の開口部１０３ａに被装し、ケース１０３内部にはランプソケット１１０、ランプソケット１１０に嵌装されたランプ１１１が配設されている器具本体１３０と、器具本体１３０に設けられるアーム１４０と、アーム１４０の端部に設けられるフランジ１５０とを備えている。
【０００５】
ケース１０３内のランプ１１１周囲にはランプ１１１が発する光をガラスパネル１０４を介して外部に配光する反射板１１２が設けられている。そして、取付面Ｍに固定された取付板１７０に立設したボルトをフランジ１５０の挿通孔に挿通し、挿通孔から突出したボルトの先端部に締付ナット１６０を締め付けることでフランジ１５０が取付板１７０に取り付けられ、照明器具を取付面Ｍに取り付けるようになっている。そして、アーム１４０を回動させることで器具本体１３０のガラスパネル１０４の向きを調節して、照射方向を調整している。
【０００６】
ガラスパネル１０４の枠１０２への取付部Ｃは図２４に示すように、ガラスパネル１０４は、枠１０２の開口周縁に沿って断面コの字型に形成されたパッキン１０５の凹部にその周縁部を嵌めた状態で取り付けられており、パッキン１０５によってガラスパネル１０４と枠１０２との隙間から器具本体１３０内部に水が入らないように防水され、パッキン１０５はその全周に亘って上方を枠１０２に覆設されている。
【０００７】
また、図２５はパッキン１０５の代わりにコーキング１３５を用いた照明器具の側面から見た一部断面図を示しており、上面から見た一部破断図、側面図は図２１，２２と各々同様である。ガラスパネル１０４の枠１０２への取付部Ｄは図２６に示すように、ガラスパネル１０４は、枠１０２の開口周縁に沿って断面Ｌ字型の枠型に形成されたコーキング１３５上にその周縁部を配した状態で取り付けられており、コーキング１３５によってガラスパネル１０４と枠１０２との隙間から器具本体１３０内部に水が入らないように防水されている。
【０００８】
【特許文献１】
特開２０００−１１７５０号公報（図３参照）
【０００９】
【発明が解決しようとする課題】
上記パッキンを用いた従来の照明器具は、上方に光を照射させると透光パネル面に雨水が溜まることがある。雨水が溜まると、溜まった雨水の模様が照射面に出たり、ランプの熱によって雨水が蒸発して水蒸気が発生し、光が妨げられたり、あるいは透光パネル面が汚れることによって、光量低下の原因となっていた。さらに、透光パネル面に雨水が溜まった状態で、ランプ点灯時から消灯時に本体内部が外部より負圧になると、溜まった雨水が本体内部へ吸い込まれて内部が浸水する危険性もあった。
【００１０】
また、透光パネルに雨水が溜まらないように透光パネル面を、器具本体の最外面に連続した同一面とし、その透光パネルと器具本体との接触部分にコーキング等を施すことによって、透光パネルを固定したものもあるが、この構成では組み立て性が悪く、外観上もコーキング等が露出して外観も悪く、さらにコーキング部に直射日光が当たる場合、紫外線による劣化によって防水性能が低下し、本体内部が浸水する危険性があった。
【００１１】
本発明は、上記事由に鑑みてなされたものであり、その目的は透光パネル面に溜まる雨水による光量低下を防止し、且つ防水部材の劣化を防いだ外観のよい防雨型照明器具を提供することにある。
【００１２】
【課題を解決するための手段】
請求項１の発明は、器具本体の中に配置したランプ及び反射鏡と、器具本体上面の開口部に覆設されて、器具本体の外面よりも内側に位置する透光パネルと、透光パネルの周縁部において、器具本体と透光パネルとの隙間を塞ぐと共に透光パネルを固定する防水部材と、透光パネルを露出する開口を有して防水部材に上方から覆設するカバーとを備えて、取付面に直付される防雨型照明器具において、防水部材は、少なくとも一部に透光パネルの上面に連続した面を有し、カバーは、透光パネルの上面に連続した防水部材の面に連続した底面を有して両端を開口した溝部を器具本体の外縁にまで形成すると共に、該溝部に連続する防水部材をその上方に空間を設けて覆う外郭を有し、透光パネルの上面に溜まった水が溝部に沿って器具本体外部に排出されるように透光パネルの上面は傾斜していることを特徴とする。
【００１３】
請求項２の発明は、請求項１において、前記カバーの溝部は、透光パネルを露出する開口の周縁部において、透光パネルの傾斜面の傾斜方向に略垂直な辺部の両側端に形成されたことを特徴とする。
【００１４】
請求項３の発明は、請求項１において、前記透光パネルは、その断面に勾配を設けた形状を有し、前記カバーの溝部は、透光パネルを露出する開口の周縁部において、透光パネルの傾斜面の下方に位置する箇所に形成されたことを特徴とする。
【００１５】
【発明の実施の形態】
以下、本発明の実施の形態を図面に基づいて説明する。
【００１６】
（実施形態１）
本実施形態の防雨型照明器具は建築物等の取り付け面に取り付けられるもので、図１は器具本体１の外観斜視図、図２は器具本体１の取り付け状態における上面から見た一部破断図、図３は器具本体１の取り付け状態における側面断面図を各々示す。器具本体１は、角型のガラスパネル４（透光パネル）が開口の内面側に嵌め込まれた枠２（カバー）をケース３の上面の開口部３ａに被装し、ケース３内部にはランプソケット１０、ランプソケット１０に嵌装された両口金型ＨＩＤランプ１１が配設されている。
【００１７】
ケース３内のランプ１１周囲にはランプ１１が発する光をガラスパネル４を介して外部に配光する反射板１２が設けられている。そして、取付面Ｍに取り付けボルト１５で固定した取付板１６に器具本体１の端部を取り付けることで照明器具を取付面Ｍに取り付けるようになっており、取付面Ｍに対して垂直な面が主照射面となる。
【００１８】
ケース３内の端部には点灯装置１３が配置されており、照明器具への給電用の電源線やアース線が接続されており、点灯装置１３からランプ１１に点灯電力が供給される。
【００１９】
ガラスパネル４の枠２への取付部Ａは図４に示すように、断面コの字型に形成されたパッキン５（図７参照）の凹部にガラスパネル４の周縁部を嵌めた状態で、枠２の下面側に立設した矩形の収納壁６にパッキン５の中央片５ａを当接し、枠２の下面側に立設した凸部７にパッキン５の上側片５ｂを当接して配置され、さらに収納壁６の端面にボルト６ａで取り付けた固定片８とパッキン５の下側片５ｃとが当接することによってその上下方向の位置を固定される。このように、ガラスパネル４はパッキン５を挟んで枠２に固定されると共に、パッキン５によってガラスパネル４と枠２との隙間から器具本体１内部に水が入らないように防水され、パッキン５はその全周に亘って上方を枠２に覆設されている。
【００２０】
ところで、パッキン５は図６（ａ），（ｂ）に示すように、右端側（取付面Ｍ側）の辺の略中央に上側片５ｂを取り除いて、中央辺５ａの上端部がガラスパネル４の上面に連続した面となっている切り欠き部５１を形成しており、この切り欠き部５１でのガラスパネル４の枠２への取付部Ｂは図５に示すように、枠２は、切り欠き部５１を介してガラスパネル４の上面に連続した底面２ａを有する溝部２ｂを、枠２の開口の右端側（取付面Ｍ側）の辺の略中央から右方向に枠２の外縁部まで両端を開口して形成し、さらにパッキン５の切り欠き部５１の上方を空間を設けて覆う外郭２ｃを形成している。
【００２１】
そして、器具本体１は、ガラスパネル４の上面の左端（器具本体１の先端側）が右端（取付面Ｍ側）に比べて上方になるように、取付面Ｍの垂直線に対して２°の傾斜角で取り付けられており、ガラスパネル４の上面も同様に取付面Ｍの垂直線に対して２°の角度で傾斜している。枠２の開口内でガラスパネル４上に溜まった水は、この傾斜により、枠２の開口の右端側の辺（傾斜面の傾斜方向に略垂直な辺）の略中央に設けた溝部２ｂの底面２ａ上を右側に移動して、器具本体１の外部に排水される。
【００２２】
（実施形態２）
本実施形態の照明器具は図８〜１１に示され、実施形態１において、パッキン５の右端側の辺の両側端部に上側片５ｂを取り除いた切り欠き部５１を形成し、枠２の底面２ａ、溝部２ｂを、枠２の開口の右端側の辺の両側端部から右方向に枠２の外縁部まで各々形成し、さらに各切り欠き部５１の上方を覆う外郭２ｃを形成したものである。なお、ガラスパネル４の枠２への取付部Ａ，Ｂは、実施形態１の図４，５と同様となる。
【００２３】
（実施形態３）
本実施形態の照明器具は図１２〜１４に示され、器具本体１に設けられるアーム２３と、アーム２３の端部に設けられるフランジ２１とを備えており、取付面Ｍに固定された取付板２０に立設したボルト２４をフランジ２１の挿通孔に挿通し、挿通孔から突出したボルト２４の先端部に締付ナット２２を締め付けることでフランジ２１が取付板２０に取り付けられ、照明器具を取付面Ｍに取り付けるようになっている。そして、アーム２３を回動させることで（図１４の破線部分参照）、取付面Ｍの垂直方向に対する器具本体１のガラスパネル４の傾斜角を調節して、照射方向を調整可能な照射方向自在型となっている。
【００２４】
本実施形態では、実施形態１において、パッキン５の右端側、及び左端側の各辺の両側端部に上側片５ｂを取り除いた切り欠き部５１を形成し、枠２の底面２ａ、溝部２ｂを、枠２の開口の右端側の辺の両側端部から右方向に、及び左端側（器具本体１の先端側）の辺の両側端部から左方向に枠２の外縁部まで各々形成し、さらに各切り欠き部５１の上方を覆う外郭２ｃを形成したものであり、器具本体１の照射方向をアーム２３によって調整した場合に、ガラスパネル４の傾斜が、左端、右端のいずれが上方になろうとも、枠２の開口内でガラスパネル４上に溜まった水は右端側あるいは左端側いずれかの溝部２ｂの底面２ａ上を移動して、器具本体１の外部に排水される。なお、ガラスパネル４の枠２への取付部Ａ，Ｂは、実施形態１の図４，５と同様となる。
【００２５】
（実施形態４）
本実施形態の照明器具の器具本体１は図１５に示され、実施形態２において、取付面Ｍの垂直方向から見たガラスパネル４の断面形状を、図１６に示すように中央部から両側部に向かって下方に傾斜した形状としたものであり、ガラスパネル４上の水は、ガラスパネル４の両側に溜まり、枠２の開口の右端側の辺の両側端部に設けた溝部２ｂから排水し易い構造となっている。
【００２６】
（実施形態５）
本実施形態の照明器具の器具本体１は図１７に示され、実施形態１において、取付面Ｍの垂直方向から見たガラスパネル４の断面形状を、図１８に示すように両側部から中央部に向かって下方に傾斜した形状としたものであり、ガラスパネル４上の水は、ガラスパネル４の中央部に溜まり、枠２の開口の右端側の辺の略中央に設けた溝部２ｂから排水し易い構造となっている。
【００２７】
（実施形態６）
本実施形態の照明器具の器具本体１は図１９に示され、実施形態１において、枠２の開口の右端側の辺を略中央が右端側に突出するように傾斜させたものであり、この突出した枠２の開口の右端側の辺の略中央から右方向に枠２の外縁部まで溝部２ｂを形成したものであり、ガラスパネル４上の水は、枠２の開口の右端側の辺の傾斜に沿って溝部２ｂから排水し易い構造となっている。
【００２８】
（実施形態７）
本実施形態の照明器具の器具本体１は図２０に示され、実施形態２において、枠２の開口の右端側の辺を略中央が左端側に突出し、両側端部が右端側に突出するように傾斜させたものであり、この枠２の開口の右端側の辺の両側端部から右方向に枠２の外縁部まで溝部２ｂを各々形成したものであり、ガラスパネル４上の水は、枠２の開口の右端側の辺の傾斜に沿って溝部２ｂから排水し易い構造となっている。
【００２９】
【発明の効果】
請求項１の発明は、器具本体の中に配置したランプ及び反射鏡と、器具本体上面の開口部に覆設されて、器具本体の外面よりも内側に位置する透光パネルと、透光パネルの周縁部において、器具本体と透光パネルとの隙間を塞ぐと共に透光パネルを固定する防水部材と、透光パネルを露出する開口を有して防水部材に上方から覆設するカバーとを備えて、取付面に直付される防雨型照明器具において、防水部材は、少なくとも一部に透光パネルの上面に連続した面を有し、カバーは、透光パネルの上面に連続した防水部材の面に連続した底面を有して両端を開口した溝部を器具本体の外縁にまで形成すると共に、該溝部に連続する防水部材をその上方に空間を設けて覆う外郭を有し、透光パネルの上面に溜まった水が溝部に沿って器具本体外部に排出されるように透光パネルの上面は傾斜しているので、透光パネル面に雨水が溜まり、溜まった雨水の模様が照射面に出たり、ランプの熱によって雨水が蒸発して水蒸気が発生して光が妨げられること、あるいは透光パネル面が汚れることによる光量低下を防止したり、透光パネル面に雨水が溜まった状態で、ランプ点灯時から消灯時に本体内部が外部より負圧になった場合に、溜まった雨水が本体内部へ吸い込まれて内部が浸水する危険性を低減することができるという効果がある。また、防水性を確保するためにコーキング等は不要となり、組立性が向上する。また、カバーによって防水部材を覆うのでパッキン等の防水部材が露出せず外観が良くなり、防水部材に直射日光が当たらず、紫外線が原因の劣化による防水性能の劣化を防止することができる。
【００３０】
請求項２の発明は、請求項１において、前記カバーの溝部は、透光パネルを露出する開口の周縁部において、透光パネルの傾斜面の傾斜方向に略垂直な辺部の両側端に形成されたので、複数の溝部を設けることで排水性能が向上するという効果がある。
【００３１】
請求項３の発明は、請求項１において、前記透光パネルは、その断面に勾配を設けた形状を有し、前記カバーの溝部は、透光パネルを露出する開口の周縁部において、透光パネルの傾斜面の下方に位置する箇所に形成されたので、器具本体を傾斜に関係無く、溝部から排水を行うことができるという効果がある。
【図面の簡単な説明】
【図１】本発明の実施形態１の器具本体を示す外観斜視図である。
【図２】同上の器具本体の取り付け状態における上面から見た一部破断図である。
【図３】同上の器具本体の取り付け状態における側面断面図である。
【図４】同上のガラスパネルの枠への取付部Ａを示す側面断面図である。
【図５】同上のガラスパネルの枠への取付部Ｂを示す側面断面図である。
【図６】（ａ）同上のパッキンを示す上面図である。
（ｂ）同上のパッキンを示す端面図である。
【図７】同上のパッキンを示す断面図である。
【図８】本発明の実施形態２の器具本体を示す外観斜視図である。
【図９】同上の器具本体の取り付け状態における上面から見た一部破断図である。
【図１０】同上の器具本体の取り付け状態における側面断面図である。
【図１１】（ａ）同上のパッキンを示す上面図である。
（ｂ）同上のパッキンを示す端面図である。
【図１２】本発明の実施形態３の器具本体を示す外観斜視図である。
【図１３】同上の器具本体の取り付け状態における上面から見た一部破断図である。
【図１４】同上の器具本体の取り付け状態における側面断面図である。
【図１５】本発明の実施形態４の器具本体を示す外観斜視図である。
【図１６】同上のガラスパネルを示す断面図である。
【図１７】本発明の実施形態５の器具本体を示す外観斜視図である。
【図１８】同上のガラスパネルを示す断面図である。
【図１９】本発明の実施形態６の器具本体を示す外観斜視図である。
【図２０】本発明の実施形態７の器具本体を示す外観斜視図である。
【図２１】従来例１の器具本体を上面から見た一部破断図である。
【図２２】同上の器具本体の側面図である。
【図２３】同上の器具本体を端面から見た一部断面図である。
【図２４】同上のガラスパネルの枠への取付部Ｃを示す側面断面図である。
【図２５】従来例２の器具本体を端面から見た他の一部断面図である。
【図２６】同上のガラスパネルの枠への取付部Ｄを示す他の側面断面図である。
【符号の説明】
１　器具本体
２　枠
２ａ　底面
２ｂ　溝部
２ｃ　外郭
３　ケース
４　ガラスパネル
５　パッキン
１０　ランプソケット
１１　両口金型ＨＩＤランプ
【図１】
2004111284.tif 000003
【図２】
2004111284.tif 000004
【図３】
2004111284.tif 000005
【図４】
2004111284.tif 000006
【図５】
2004111284.tif 000007
【図６】
2004111284.tif 000008
【図７】
2004111284.tif 000009
【図８】
2004111284.tif 000010
【図９】
2004111284.tif 000011
【図１０】
2004111284.tif 000012
【図１１】
2004111284.tif 000013
【図１２】
2004111284.tif 000014
【図１３】
2004111284.tif 000015
【図１４】
2004111284.tif 000016
【図１５】
2004111284.tif 000017
【図１６】
2004111284.tif 000018
【図１７】
2004111284.tif 000019
【図１８】
2004111284.tif 000020
【図１９】
2004111284.tif 000021
【図２０】
2004111284.tif 000022
【図２１】
2004111284.tif 000023
【図２２】
2004111284.tif 000024
【図２３】
2004111284.tif 000025
【図２４】
2004111284.tif 000026
【図２５】
2004111284.tif 000027
【図２６】
2004111284.tif 000028